(57)【要約】  無線通信システムは、制御装置及び少なくとも一つの通信装置を備える。制御装置は、通信装置と端末との無線通信における物理層の処理に対する制御情報を生成するスケジューラと、端末へ送信するデータに対する符号化を制御情報に基づいて行うことで符号化データを生成する符号化部と、制御情報が生成されると通信装置へ制御情報を送信し、符号化データが生成されると符号化データを通信装置へ送信する送信部と、を備る。通信装置は、制御装置から制御情報と符号化データとを受信する受信部と、受信部により受信された制御情報に基づいて、受信部により受信された符号化データを端末へ送信するための信号処理を行う信号処理部と、を備える。
2017175758.tif 000002
【特許請求の範囲】
【請求項１】
制御装置及び少なくとも一つの通信装置を備える無線通信システムであって、
前記制御装置は、
前記通信装置と端末との無線通信における物理層の処理に対する制御情報を生成するスケジューラと、
前記端末へ送信するデータに対する符号化を前記制御情報に基づいて行うことで符号化データを生成する符号化部と、
前記制御情報が生成されると前記通信装置へ前記制御情報を送信し、前記符号化データが生成されると前記通信装置へ前記符号化データを送信する送信部と、
を備え、
前記通信装置は、
前記制御装置から前記制御情報と前記符号化データとを受信する受信部と、
前記受信部により受信された前記制御情報に基づいて、前記受信部により受信された前記符号化データを前記端末へ送信するための信号処理を行う信号処理部と、
を備える、
無線通信システム。
【請求項２】
前記スケジューラは、
前記符号化部と前記送信部とへ前記制御情報を出力し、
前記符号化部は、
前記スケジューラから出力された前記制御情報を読み込み次第、前記データに対する符号化を開始し、
前記信号処理部は、
前記受信部により受信された前記制御情報を読み込み次第、前記符号化データに対する信号処理を開始する、
請求項１に記載の無線通信システム。
【請求項３】
前記制御装置に接続される前記通信装置は複数である場合、
前記送信部は、
複数の前記通信装置のうち、前記制御情報と前記符号化データとを用いる前記通信装置へ前記制御情報と前記符号化データとを送信する、
請求項１又は請求項２に記載の無線通信システム。
【請求項４】
前記制御装置に接続される前記通信装置は複数である場合、
前記送信部は、
前記制御情報と前記符号化データとを複数の前記通信装置へ同報送信し、
前記受信部は、
前記制御装置から受信する前記制御情報と前記符号化データとのうち、自装置に対する前記制御情報と前記符号化データとを選択して前記信号処理部へ出力し、他の前記通信装置に対する前記制御情報と前記符号化データとを破棄する、
請求項１又は請求項２に記載の無線通信システム。
【請求項５】
制御装置及び少なくとも一つの通信装置を備える無線通信システムにおける通信方法であって、
前記制御装置が、前記通信装置と端末との無線通信における物理層の処理に対する制御情報を生成するスケジューリングステップと、
前記制御装置が、前記端末へ送信するデータに対する符号化を前記制御情報に基づいて行うことで符号化データを生成する符号化ステップと、
前記制御装置が、前記制御情報が生成されると前記通信装置へ前記制御情報を送信する第１の送信ステップと、
前記制御装置が、前記符号化データが生成されると前記通信装置へ前記符号化データを送信する第２の送信ステップと、
前記通信装置が、前記制御装置から前記制御情報と前記符号化データとを受信する受信ステップと、
前記通信装置が、前記受信ステップにて受信した前記制御情報に基づいて、前記受信ステップにて受信した前記符号化データを前記端末へ送信するための信号処理を行う信号処理ステップと、
を有する、通信方法。
【発明の詳細な説明】
【技術分野】
【０００１】
本発明は、無線通信システム及び通信方法に関する。
【背景技術】
【０００２】
無線通信システム、特に移動体通信システムにおいて、基地局設置の柔軟性を高めるため、Ｃ−ＲＡＮ（Centralized/Cloud Radio access network）という構成を用いることが検討されている。Ｃ−ＲＡＮでは、基地局が有する機能が２つに分割され、ＢＢＵ（Base Band Unit）とＲＲＨ（Remote Radio Head）と呼ばれる２つの装置に機能が割り当てられる。ＢＢＵとＲＲＨとは、通信可能に光ファイバで接続される。しかし、ベースバンド信号処理の機能を含む物理層（Physical Layer : PHY）の機能をＢＢＵに集約して無線信号のＩＱデータをＲＲＨへ伝送するＣ−ＲＡＮでは、ＭＦＨ（Mobile Fronthaul）と呼ばれるＢＢＵとＲＲＨとの間の光リンクに非常に広い帯域が必要になる。そのため、Ｃ−ＲＡＮのＢＢＵとＲＲＨとに対して割り当てる機能を再定義してＭＦＨに必要とされる帯域の削減が検討されている。【０００３】
図５は、MAC-PHY Splitと呼ばれる機能分割方式を示す図である。MAC-PHY Split方式では、ＭＡＣ（Media Access Control）層以上の機能をＢＢＵに割り当て、物理層の機能をＲＲＨに割り当てる（非特許文献１）。図６は、ＳＰＰ（Split-PHY Processing）と呼ばれる機能分割方式を示す図である。ＳＰＰ方式では、ＭＡＣ層以上の機能と物理層の機能の一部である符号化の機能とをＢＢＵに割り当て、符号化以外の物理層の機能をＲＲＨに割り当てる（非特許文献２）。【０００４】
移動体通信システムでは、ＭＡＣ層の機能の一つであるスケジューラが物理層の機能に対する制御情報を生成する。図７及び図８に、MAC-PHY Split方式におけるダウンリンクの信号伝送とそのフローとを示す。図７は、MAC-PHY Split方式におけるダウンリンクの信号伝送を示す図である。ＢＢＵ９１は、スケジューラ９１１と送信部９１２とを備える。ＲＲＨ９２は、受信部９２１と符号化部９２２と信号処理部９２３とを備える。図８は、MAC-PHY Split方式におけるダウンリンクの信号伝送のフローを示す図である。ダウンリンクの信号伝送では、ＢＢＵ９１において、端末へ送信するデータとスケジューラ９１１が生成した制御情報とを送信部９１２がＭＦＨを通してＲＲＨ９２へ送信する。ＲＲＨ９２では、受信部９２１がデータと制御情報とを受信する。物理層の機能に含まれる符号化部９２２及び信号処理部９２３が、受信部９２１から受け取った制御情報を読み込み、制御情報の指示に応じてデータに対する信号処理を行う。【０００５】
図９及び図１０は、ＳＰＰ方式におけるダウンリンクの信号伝送とそのフロートを示す。図９は、ＳＰＰ方式におけるダウンリンクの信号伝送を示す図である。ＢＢＵ９３は、スケジューラ９３１と符号化部９３２と送信部９３３とを備える。ＲＲＨ９４は、受信部９４１と信号処理部９４２とを備える。図１０は、ＳＰＰ方式におけるダウンリンクの信号伝送のフローを示す図である。ダウンリンクの信号伝送では、ＢＢＵ９３において、スケジューラ９３１が生成した制御情報を符号化部９３２へ出力するとともに、送信部９３３がスケジューラ９３１から出力される制御情報をＲＲＨ９４へＭＦＨを通して送信する。符号化部９３２は、スケジューラ９３１から出力される制御情報を読み込み、制御情報による指示に応じてデータに対して符号化を行う。符号化部９３２は、符号化により得られた符号化データを送信部９３３へ出力する。送信部９３３は、符号化部９３２から出力される符号化データをＲＲＨ９４へＭＦＨを通して送信する。ＲＲＨ９４では、受信部９４１が制御情報と符号化データとを受信し、信号処理部９４２が制御情報に基づいて符号化データに対して信号処理を行う。【０００６】
図８と図１０とにおいて示したように、ＲＲＨにおいて行われる処理はＢＢＵから受信した制御情報に基づいて行われるため、符号化部や信号処理部が制御情報の読み込みを完了するまで開始されずに待機時間が生じる。前述した機能分割方式におけるダウンリンク信号伝送では、ＭＦＨを通してデータと制御情報とがＲＲＨに伝送されたとしても、ＲＲＨにおいて制御情報の読み込みが完了するまで物理層における処理が開始できず、制御情報の読み込みに起因する待機時間による遅延が発生するという問題がある。
【先行技術文献】
【非特許文献】
【０００７】
【非特許文献１】松永泰彦、「５Ｇに向けた無線アクセスネットワークアーキテクチャの進化」、信学技報、vol.114、no.254、RCS2014-172、pp.89-94、２０１４年１０月
【非特許文献２】宮本健司、外３名、「将来無線アクセスに向けた基地局機能分割方式の提案」、信学技報、vol.115、no.123、CS2015-15、pp.33-38、２０１５年７月
【発明の概要】
【発明が解決しようとする課題】
【０００８】
前述の事情に鑑み、本発明は、制御装置と通信装置とに基地局の機能を分割した構成におけるダウンリンク信号伝送の遅延時間を削減することができる無線通信システム及び通信方法を提供することを目的としている。
【課題を解決するための手段】
【０００９】
本発明の第１の実施態様における無線通信システムは、制御装置及び少なくとも一つの通信装置を備える無線通信システムであって、前記制御装置は、前記通信装置と端末との無線通信における物理層の処理に対する制御情報を生成するスケジューラと、前記端末へ送信するデータに対する符号化を前記制御情報に基づいて行うことで符号化データを生成する符号化部と、前記制御情報が生成されると前記通信装置へ前記制御情報を送信し、前記符号化データが生成されると前記通信装置へ前記符号化データを送信する送信部と、を備え、前記通信装置は、前記制御装置から前記制御情報と前記符号化データとを受信する受信部と、前記受信部により受信された前記制御情報に基づいて、前記受信部により受信された前記符号化データを前記端末へ送信するための信号処理を行う信号処理部と、を備える。【００１０】
また、本発明の第２の実施態様によれば、上記第１の実施態様の無線通信システムにおいて、前記スケジューラは、前記符号化部と前記送信部とへ前記制御情報を出力し、前記符号化部は、前記スケジューラから出力された前記制御情報を読み込み次第、前記データに対する符号化を開始し、前記信号処理部は、前記受信部により受信された前記制御情報を読み込み次第、前記符号化データに対する信号処理を開始する。【００１１】
また、本発明の第３の実施態様によれば、上記第１又は第２の実施態様の無線通信システムにおいて、前記制御装置に接続される前記通信装置は複数である場合、前記送信部は、複数の前記通信装置のうち、前記制御情報と前記符号化データとを用いる前記通信装置へ前記制御情報と前記符号化データとを送信する。【００１２】
また、本発明の第４の実施態様によれば、上記第１又は第２の実施態様の無線通信システムにおいて、前記制御装置に接続される前記通信装置は複数である場合、前記送信部は、前記制御情報と前記符号化データとを複数の前記通信装置へ同報送信し、前記受信部は、前記制御装置から受信する前記制御情報と前記符号化データとのうち、自装置に対する前記制御情報と前記符号化データとを選択して前記信号処理部へ出力し、他の前記通信装置に対する前記制御情報と前記符号化データとを破棄する。【００１３】
また、本発明の第５の実施態様における通信方法は、制御装置及び少なくとも一つの通信装置を備える無線通信システムにおける通信方法であって、前記制御装置が、前記通信装置と端末との無線通信における物理層の処理に対する制御情報を生成するスケジューリングステップと、前記制御装置が、前記端末へ送信するデータに対する符号化を前記制御情報に基づいて行うことで符号化データを生成する符号化ステップと、前記制御装置が、前記制御情報が生成されると前記通信装置へ前記制御情報を送信する第１の送信ステップと、前記制御装置が、前記符号化データが生成されると前記通信装置へ前記符号化データを送信する第２の送信ステップと、前記通信装置が、前記制御装置から前記制御情報と前記符号化データとを受信する受信ステップと、前記通信装置が、前記受信ステップにて受信した前記制御情報に基づいて、前記受信ステップにて受信した前記符号化データを前記端末へ送信するための信号処理を行う信号処理ステップと、を有する。
【発明の効果】
【００１４】
本発明によれば、制御装置と通信装置とに基地局の機能を分割した構成におけるダウンリンク伝送の遅延時間を削減することが可能となる。
【図面の簡単な説明】
【００１５】
【図１】第１の実施形態における無線通信システムの構成例を示すブロック図。
【図２】第１の実施形態におけるダウンリンク信号伝送のフローを示す図。
【図３】第２の実施形態における無線通信システムの構成例を示すブロック図。
【図４】第３の実施形態における無線通信システムの構成例を示すブロック図。
【図５】従来のMAC-PHY Splitと呼ばれる機能分割方式を示す図。
【図６】従来のＳＰＰと呼ばれる機能分割方式を示す図。
【図７】従来のMAC-PHY Split方式におけるダウンリンクの信号伝送を示す図。
【図８】従来のMAC-PHY Split方式におけるダウンリンクの信号伝送のフローを示す図。
【図９】従来のＳＰＰ方式におけるダウンリンクの信号伝送を示す図。
【図１０】従来のＳＰＰ方式におけるダウンリンクの信号伝送のフローを示す図。
【発明を実施するための形態】
【００１６】
以下、図面を参照して、本発明の実施形態における無線通信システム及び通信方法を説明する。なお、以下の実施形態では、同一の符号を付した構成要素は同様の動作を行うものとして、重複する説明を適宜省略する。
【００１７】
［第１の実施形態］
図１は、第１の実施形態における無線通信システム１の構成例を示すブロック図である。無線通信システム１は、不図示の端末との無線通信を行う基地局として機能する、ＢＢＵ１０とＲＲＨ２０とを備える。ＢＢＵ１０とＲＲＨ２０とは、ＭＦＨを通して通信可能に接続されている。制御装置としてのＢＢＵ１０は、スケジューラ１１と符号化部１２と送信部１３とを備える。通信装置としてのＲＲＨ２０は、受信部２１と信号処理部２２とを備える。ＢＢＵ１０とＲＲＨ２０とには、機能分割方式としてＳＰＰ方式が適用されている。
【００１８】
ＢＢＵ１０における、スケジューラ１１は、物理層の処理に対する制御情報を生成する。制御情報には、ＲＲＨ２０が端末との無線通信において使用する、変調方式、符号化率、無線リソース（周波数、フレーム、フレームにおけるスロット）、送信電力などを示す情報が含まれる。スケジューラ１１は、符号化部１２と送信部１３とへ制御情報を同時に出力する。符号化部１２は、制御情報を読み込み符号化に必要なパラメータを定め次第、端末へ送信するデータを制御情報に基づいて符号化する。符号化部１２は、符号化により得られる符号化データを送信部１３へ出力する。送信部１３は、スケジューラ１１から出力される制御情報と、符号化部１２から出力される符号化データとをＭＦＨを通してＲＲＨ２０へ送信する。送信部１３は、スケジューラ１１から出力される制御情報を取得すると、符号化部１２による符号化の開始又は完了にかかわらず、制御情報をＲＲＨ２０へ送信する。すなわち、送信部１３は、符号化部１２が符号化データの生成をし終える前に、制御情報をＲＲＨ２０へ送信してもよい。
【００１９】
ＲＲＨ２０における、受信部２１は、ＭＦＨを通してＢＢＵ１０から制御情報と符号化データとを受信する。受信部２１は、受信した制御情報と符号化データとを信号処理部２２へ出力する。信号処理部２２は、制御情報を読み込み信号処理に必要なパラメータを定め次第、符号化データを端末へ送信するための信号処理を制御情報に基づいて行う。信号処理部２２は、信号処理により得られる無線信号を端末へ送信する。信号処理部２２が行う信号処理には、例えばデジタル−アナログ変換、周波数変換、不要周波数成分の除去、増幅などが含まれる。
【００２０】
図２は、第１の実施形態におけるダウンリンク信号伝送のフローを示す図である。ＢＢＵ１０において、符号化部１２は、スケジューラ１１から出力される制御情報を読み込み、制御情報に基づいた符号化をデータに対して行う。このとき、スケジューラ１１は、制御情報を送信部１３へ出力し、送信部１３にＭＦＨを通して制御情報をＲＲＨ２０へ送信させる。また、送信部１３は、符号化部１２により符号化された符号化データを、ＭＦＨを通してＲＲＨへ送信する。
【００２１】
ＲＲＨ２０において、受信部２１は、ＭＦＨを通して伝送された制御情報を受信し、受信した制御情報を信号処理部２２へ出力する。信号処理部２２は、受信部２１から出力される制御情報を読み込む。また、受信部２１は、ＭＦＨを通した伝送された符号化データを受信し、受信した符号化データを信号処理部２２へ出力する。信号処理部２２は、制御情報の読み込みが完了次第、受信部２１から出力される符号化データに対して信号処理を行う。
【００２２】
第１の実施形態における無線通信システム１では、図２に示すように、符号化部１２がデータを符号化している間に、送信部１３が制御情報をＲＲＨ２０へ送信する。制御情報が符号化データより先に送信されることにより、ＲＲＨ２０に符号化データが到着する前に信号処理部２２が制御情報の読み込みを開始することができる。ＢＢＵ１０において制御情報の送信とデータの符号化とを並行して行うことにより、図２に示した符号化データがＲＲＨ２０に到着してから制御情報の読み込み完了までの時間が、図８及び図１０に示したフローの時間に比べて短くなっていることがわかる。また、データに対する符号化はＢＢＵ１０において行われているため、ＲＲＨ２０における信号処理部２２が符号化を行う必要はない。図２に示したフローのＲＲＨ２０における処理時間が図８に示したフローのＲＲＨにおける処理時間に比べ短くなっている。これにより、符号化データがＲＲＨ２０に到着してから制御情報の読み込み完了までの時間が短くなり、ダウンリンク信号伝送の遅延時間を削減することができる。また、ダウンリンク信号伝送に要する時間である合計遅延時間も、図８及び図１０に示したフローに比べ、第１の実施形態のフローの方が短くなっていることがわかる。
【００２３】
［第２の実施形態］
第２の実施形態における無線通信システムは、第１の実施形態における無線通信システム１では１つのＢＢＵ１０と１つのＲＲＨ２０とがＭＦＨで接続されていたのに対して、１つのＢＢＵと２つのＲＲＨとがＭＦＨで接続されている。なお、第２の実施形態では、２つのＲＲＨがＢＢＵに接続される構成例を示して説明するが、３つ以上の複数のＲＲＨがＭＦＨを介してＢＢＵに接続されていてもよい。
【００２４】
図３は、第２の実施形態における無線通信システム２の構成例を示すブロック図である。無線通信システム２は、不図示の端末との無線通信を行う基地局として機能する、ＢＢＵ３０と２つのＲＲＨ４０（４０−１，４０−２）とを備える。ＢＢＵ３０は、スケジューラ１１と符号化部１２と送信部３３とを備える。ＲＲＨ４０は、受信部４１と信号処理部２２とを備える。ＢＢＵ３０とＲＲＨ４０とには、第１の実施形態の無線通信システム１と同様に、機能分割方式としてＳＰＰ方式が適用されている。
【００２５】
スケジューラ１１は、ＲＲＨ４０−１、４０−２に対する制御情報＃１、＃２をそれぞれ生成し、制御情報＃１、＃２を符号化部１２と送信部３３とへ出力する。符号化部１２は、ＲＲＨ４０−１に対する制御情報＃１に基づいて、ＲＲＨ４０−１から端末へ送信するデータ＃１に対する符号化を行う。符号化部１２は、データ＃１に対する符号化により得られる符号化データ＃１を送信部３３へ出力する。また、符号化部１２は、ＲＲＨ４０−２に対する制御情報＃２に基づいて、ＲＲＨ４０−２から端末へ送信するデータ＃２に対する符号化を行う。符号化部１２は、データ＃２に対する符号化により得られる符号化データ＃２を送信部３３へ出力する。
【００２６】
送信部３３は、スケジューラ１１から出力される制御情報＃１と符号化部１２から出力される符号化データ＃１とを、ＭＦＨを通してＲＲＨ４０−１へ送信する。送信部３３は、第１の実施形態における送信部１３と同様に、スケジューラ１１から制御情報＃１が出力されると、ＭＦＨを通してＲＲＨ４０−１へ制御情報＃１を送信する。送信部３３は、符号化部１２による符号化が終わり次第、ＭＦＨを通してＲＲＨ４０−１へ符号化データ＃１を送信する。すなわち、送信部３３は、符号化部１２が符号化データ＃１の生成をし終える前に、制御情報＃１をＲＲＨ４０−１へ送信してもよい。送信部３３は、ＢＢＵ３０に接続されたＲＲＨ４０のうち制御情報＃１及び符号化データ＃１を用いるＲＲＨ４０−１へ、制御情報＃１及び符号化データ＃１を送信する。
【００２７】
送信部３３は、スケジューラ１１から出力される制御情報＃２と符号化部１２から出力される符号化データ＃２とを、ＭＦＨを通してＲＲＨ４０−２へ送信する。送信部３３は、スケジューラ１１から制御情報＃２が出力されると、ＭＦＨを通してＲＲＨ４０−２へ制御情報＃２を送信する。送信部３３は、符号化部１２による符号化が終わり次第、ＭＦＨを通してＲＲＨ４０−２へ符号化データ＃２を送信する。すなわち、送信部３３は、符号化部１２が符号化データ＃２の生成をし終える前に、制御情報＃２をＲＲＨ４０−２へ送信してもよい。送信部３３は、ＢＢＵ３０に接続されたＲＲＨ４０のうち制御情報＃２及び符号化データ＃２を用いるＲＲＨ４０−２へ、制御情報＃２及び符号化データ＃２を送信する。
【００２８】
ＲＲＨ４０−１において、受信部４１は、ＢＢＵ３０からＲＲＨ４０−１宛に送信される制御情報＃１と符号化データ＃１とを受信する。受信部４１は、受信した制御情報＃１と符号化データ＃１とを信号処理部２２へ出力する。ＲＲＨ４０−１では、第１の実施形態のＲＲＨ２０の信号処理部２２と同様に、信号処理部２２は、受信部４１が制御情報＃１をＢＢＵ３０から受信すると制御情報＃１の読み込みを開始する。信号処理部２２は、制御情報＃１を読み込み次第、受信部４１から出力される符号化データ＃１に対する信号処理を開始する。ＲＲＨ４０−２においても、受信部４１と信号処理部２２とは同様に動作する。
【００２９】
第２の実施形態における無線通信システム２でも、符号化部１２がデータ＃１、＃２を符号化している間に送信部３３が制御情報＃１、＃２をＲＲＨ４０−１、４０−２へ送信する。制御情報＃１、＃２が符号化データ＃１、＃２より先に送信されることにより、ＲＲＨ４０−１、４０−２に符号化データが到着する前に信号処理部２２が制御情報の読み込みを開始することができる。ＢＢＵ３０において制御情報＃１、＃２の送信とデータ＃１、＃２の符号化とを並行して行うことにより、符号化データ＃１、＃２がＲＲＨ４０−１、４０−２に到着してから制御情報＃１、＃２の読み込み完了までの時間が短縮される。これにより、符号化データ＃１、＃２がＲＲＨ４０−１、４０−２に到着してから制御情報＃１、＃２の読み込み完了までの時間が短くなり、ダウンリンク信号伝送の遅延時間を削減することができる。
【００３０】
［第３の実施形態］
図４は、第３の実施形態における無線通信システム３の構成例を示すブロック図である。無線通信システム３は、不図示の端末との無線通信を行う基地局として機能する、ＢＢＵ５０と２つのＲＲＨ６０（６０−１、６０−２）とを備える。ＢＢＵ５０は、スケジューラ１１と符号化部１２と送信部５３とを備える。ＲＲＨ６０は、受信部６１と信号処理部２２とを備える。ＢＢＵ５０とＲＲＨ６０とには、第１の実施形態の無線通信システム１と同様に、機能分割方式としてＳＰＰ方式が適用されている。なお、第３の実施形態では、２つのＲＲＨ６０がＢＢＵ５０に接続される構成例を示して説明するが、３つ以上のＲＲＨ６０がＭＦＨを介してＢＢＵ５０に接続されていてもよい。
【００３１】
スケジューラ１１は、ＲＲＨ６０−１、６０−２に対する制御情報＃１、＃２をそれぞれ生成し、制御情報＃１、＃２を符号化部１２と送信部５３とへ出力する。符号化部１２は、ＲＲＨ６０−１に対する制御情報＃１に基づいて、ＲＲＨ６０−１から端末へ送信するデータ＃１に対する符号化を行う。符号化部１２は、データ＃１に対する符号化により得られる符号化データ＃１を送信部５３へ出力する。また、符号化部１２は、ＲＲＨ６０−２に対する制御情報＃２に基づいて、ＲＲＨ６０−２から端末へ送信するデータ＃２に対する符号化を行う。符号化部１２は、データ＃２に対する符号化により得られる符号化データ＃２を送信部５３へ出力する。
【００３２】
送信部５３は、スケジューラ１１から出力される制御情報＃１、＃２と符号化部１２から出力される符号化データ＃１、＃２とを、ＭＦＨを通してＲＲＨ６０−１、６０−２へマルチキャスト送信（同報送信）する。送信部５３は、スケジューラ１１から制御情報＃１、＃２が出力されると、ＭＦＨを通してＲＲＨ６０−１、６０−２へ制御情報＃１、＃２を送信する。送信部５３は、符号化部１２による符号化が終わり次第、ＭＦＨを通してＲＲＨ６０−１、６０−２へ符号化データ＃１、＃２を送信する。なお、送信部５３は、マルチキャスト送信に代えてブロードキャスト送信で、制御情報と符号化データとを送信してもよい。すなわち、送信部５３は、符号化部１２が符号化データ＃１の生成をし終える前に、制御情報＃１をＲＲＨ６０−１へ送信してもよい。また、送信部５３は、符号化部１２が符号化データ＃２の生成をし終える前に、制御情報＃２をＲＲＨ６０−２へ送信してもよい。
【００３３】
ＲＲＨ６０−１において、受信部６１は、ＢＢＵ３０から送信される制御情報＃１、＃２と符号化データ＃１、＃２とを受信する。受信部６１は、受信した制御情報＃１、＃２と符号化データ＃１、＃２とのうち、自身（ＲＲＨ６０−１）に対する制御情報＃１と符号化データ＃１とを選択し、他の制御情報と符号化データとを破棄する。受信部６１は、選択した制御情報＃１と符号化データ＃１とを信号処理部２２へ出力する。ＲＲＨ６０−１では、第１の実施形態のＲＲＨ２０の信号処理部２２と同様に、信号処理部２２は、受信部６１が制御情報＃１をＢＢＵ５０から受信すると制御情報＃１の読み込みを開始する。信号処理部２２は、制御情報＃１を読み込み次第、受信部６１から出力される符号化データ＃１に対する信号処理を開始する。ＲＲＨ６０−２においても、受信部４１と信号処理部２２とは同様に動作する。
【００３４】
第３の実施形態における無線通信システム３でも、符号化部１２がデータ＃１、＃２を符号化している間に送信部５３が制御情報＃１、＃２をＲＲＨ６０−１、６０−２へ送信する。制御情報＃１、＃２が符号化データ＃１、＃２より先に送信されることにより、ＲＲＨ６０−１、６０−２に符号化データが到着する前に信号処理部２２が制御情報の読み込みを開始することができる。ＢＢＵ５０において制御情報＃１、＃２の送信とデータ＃１、＃２の符号化とを並行して行うことにより、符号化データ＃１、＃２がＲＲＨ６０−１、６０−２に到着してから制御情報＃１、＃２の読み込み完了までの時間が短縮される。これにより、符号化データ＃１、＃２がＲＲＨ６０−１、６０−２に到着してから制御情報＃１、＃２の読み込み完了までの時間が短くなり、ダウンリンク信号伝送の遅延時間を削減することができる。
【００３５】
上述の各実施形態における無線通信システムによれば、ＢＢＵが制御情報のＲＲＨへの送信とデータの符号化とを並行して行い、ＲＲＨが制御情報を受信すると読み込みを開始することにより、ＲＲＨに符号化されたデータが到着してから制御情報の読み込みが完了するまでの待ち時間を短くすることができ、ダウンリンク信号伝送の遅延時間を削減することができる。
【００３６】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００３７】
基地局の機能をＳＰＰ方式にて分割した構成におけるダウンリンク信号伝送の遅延時間を削減することが不可欠な用途にも適用できる。
【符号の説明】
【００３８】
１，２，３…無線通信システム
１０，３０，５０，９１，９３…ＢＢＵ
１１，９１１，９３１…スケジューラ
１２，９３２…符号化部
１３，３３，５３，９１２，９３３…送信部
２０，４０，６０，９２，９４…ＲＲＨ
２１，４１，６１，９２１，９４１…受信部
２２，９２３，９４２…信号処理部
【図１】
2017175758.tif 000003
【図２】
2017175758.tif 000004
【図３】
2017175758.tif 000005
【図４】
2017175758.tif 000006
【図５】
2017175758.tif 000007
【図６】
2017175758.tif 000008
【図７】
2017175758.tif 000009
【図８】
2017175758.tif 000010
【図９】
2017175758.tif 000011
【図１０】
2017175758.tif 000012
【国際調査報告】
2017175758.tif 000013
2017175758.tif 000014